(57)【特許請求の範囲】
【請求項１】
キャビネットの上面に設置されたシンクの下方収納空間を開閉自在に閉じるよう装着された前面扉の裏面に包丁差しを設けるとともに、該前面扉を開けたとき、正面に位置するシンクの裏面部を目隠しするように幕板が設けられた流し台において、該幕板の一部を後退させて奥行きを持たせることにより、シンクの下方収納空間を開閉自在に閉じるよう装着された前面扉の裏面の包丁差しに差し込まれた包丁の柄の部分が納まる包丁収納凹所を形成してなる流し台。
【請求項２】
上記包丁収納凹所が、幕板の長手方向略全長に亘って形成されている請求項１に記載の流し台。
【請求項３】
上記包丁収納凹所が、樹脂成形品であるとともにこの樹脂成形品が幕板に組み込まれている請求項１または２に記載の流し台。
【請求項４】
上記幕板が、薄肉金属板で形成されてなる請求項１ないし３のいずれか１項に記載の流し台。
【請求項５】
上記前面扉が、台輪部一体式引出しの前面板である請求項１ないし４のいずれか１項に記載の流し台。
【請求項６】
上記前面扉が、スイング式扉である請求項１ないし４のいずれか１項に記載の流し台。
【発明の詳細な説明】
【０００１】
【発明の属する技術分野】
本発明は流し台の構造に関する。さらに詳しくは、流し台のキャビネットに設けられた包丁の収納個所の改良に関するものである。
【０００２】
【従来の技術】
従来、キッチンに設置される流し台において、キャビネットの収納空間に包丁を収納する構造について、各種の提案がなされている。たとえば、実開昭６３−１３６５４９号、実開平３−９４４号、実開平３−８４０４９号、特開平１１−４６８９５号等の各公報には、包丁を収納するための各種の構造が開示されている。図６は従来公知の流し台の斜視図であり、図７は側断面図である。図６、図７に示されるように、キャビネット２の収納空間５を開閉自在とするように設けられた前面扉７の裏面には、包丁差し８が設けられている。
【０００３】
【発明が解決しようとする課題】
キャビネット２の収納空間５を有効利用するため、収納空間５の下部に、たとえば引出し等の収納手段６を新しく設けた場合、包丁差し８全体を上方に移動させることが必要となる。このとき、図７からよくわかるように、包丁の柄の部分がシンク３の裏面部Ｘを目隠しするように設けられた幕板１に当たるため、包丁差しを小型のタイプにしなければならない。もし、包丁差しを従来のサイズのまま使用したい場合は、隣接する他のキャビネットに移動したり、あるいは包丁専用の引出しを設け、そこに包丁を横置きする等の手段をとる必要がある。しかしながら、このようにすると流し台の使い勝手が悪くなる、あるいは包丁の収納用引出しを、新たに設けなければならないという問題が生じる。そこで、本発明はキャビネットの収納空間をより効率的に利用するとともに、従来と同様に包丁を収納することが可能な、使い勝手のよい流し台を提供することをその課題とする。
【０００４】
【課題を解決するための手段】
上記課題を解決するため、本発明においては、次の技術的手段を講じている。
すなわち、本発明によれば、キャビネットの上面に設置されたシンクの下方収納空間を開閉自在に閉じるよう装着された前面扉の裏面に包丁差しを設けるとともに、該前面扉を開けたとき、正面に位置するシンクの裏面部を目隠しするように幕板が設けられた流し台において、該幕板の一部を後退させて奥行きを持たせることにより、シンクの下方収納空間を開閉自在に閉じるよう装着された前面扉の裏面の包丁差しに差し込まれた包丁の柄の部分が納まる包丁収納凹所を形成してなる流し台が提供される。
【０００５】
このようにすれば、上記前面扉の裏面に設けられた包丁差しが、上方に移動されても、包丁の柄の部分が上記包丁収納凹所に納まるため、上記包丁差しを隣接する他のキャビネットに移動したり、包丁専用の引出しを設け、そこに包丁を横置きする等の手段を講じる必要はない。したがって、従来のキャビネット構造のままで、シンク下方に収納用の引出し等が新たに設けられても、使い勝手のよい流し台を提供することができる。
【０００６】
上記包丁収納凹所は、該幕板の一部を後退させて形成させる。しかし、その位置はとくに限定されず、幕板のいずれの部分に形成してもよい。あるいは、幕板の長手方向略全長に亘って形成してもよい。
【０００７】
幕板全体は、薄肉金属板で構成されたものとし、上記包丁収納凹所をプレス等の手段によって形成したものでもよい。あるいは、上記包丁収納凹所を、樹脂成形品とし、この樹脂成形品を組み込むように切り欠いた幕板に、この樹脂成形品を組み込んだものとしてもよい。
【０００８】
また、シンクの下方収納空間を開閉自在に閉じるよう装着された前面扉が、台輪部一体式引出しの前面板であってもよい。あるいは、上記前面扉がスイング式扉であってもよい。
【０００９】
【発明の実施の形態】
以下、図面を参照して本発明の好ましい実施の形態をさらに詳しく説明する。図１は本発明にかかる流し台の斜視図であり、図２は、本発明にかかる流し台の側断面図である。幕板１は、キャビネット２の上面に設置されたシンク３の裏面部の正面を目隠しするように設けられ、幕板１の一部を後退させて奥行きを持たせることにより、シンク３の下方収納空間５を開閉自在に閉じるよう装着された前面扉７の裏面の包丁差し８に差し込まれた包丁の柄の部分が納まる包丁収納凹所４が形成されている。シンク３の下方に設けられた収納空間５の下方には食器類、調理器具等を収納するための引出し６が設けられている。幕板１、包丁収納凹所４および収納空間５は通常前面扉７によって目隠しされ、前面扉７の裏面には包丁差し８が設けられている。図２において、前面扉７は、収納用引出し６の上面に載置された台輪部一体式引出しＡの前面板９がその役目を果たしている。
【００１０】
図３は、台輪部一体式引出しＡの斜視図であり、包丁差し８は前面板９の裏面に設けられている。このような構成とすることにより、図２からよくわかるように、台輪部一体式引出しＡを収納空間５に押し込むと、前面板９が前面扉７となり、包丁差し８に差し込まれた包丁は、その柄が包丁収納凹所４に具合よく納まることとなる。
【００１１】
また、前面扉７はスイング式扉とし、左右どちらかをヒンジ構造として開閉自在としても構わない。このようにすれば、スイング式扉の裏面に設けられた包丁差し８に差し込まれた包丁は、上記と同様にその柄が包丁収納凹所４に具合よく納まることとなる。
【００１２】
幕板１は通常、化粧板製、合成樹脂製等であるが、幕板１を薄肉金属板で構成し、包丁収納用凹所４をプレス等の手段によって形成してもよい。図４（ａ）は、薄肉金属製幕板１全体を包丁収納凹所４とした場合を示し、図４（ｂ）は右側にのみ包丁収納凹所４を形成した場合を示す。
【００１３】
また、包丁収納凹所４を樹脂成型品とし、パーツとしたものを、幕板１に組み込む構造としてもよい。図５（ａ）は、幕板１にあらかじめ上記パーツが組み込まれる部分を切り欠いた状態を示し、図５（ｂ）は、切り欠かれた部分へ組み込まれる樹脂成型した包丁収納用凹所４を示す。
【００１４】
【発明の効果】
本発明の流し台は、キャビネットの上面に設置されたシンクの下方収納空間を開閉自在に閉じるよう装着された前面扉の裏面に包丁差しを設けるとともに、該前面扉を開けたとき、正面に位置するシンクの裏面部を目隠しするように幕板が設けられた流し台において、該幕板の一部を後退させて奥行きを持たせることにより、シンクの下方収納空間を開閉自在に閉じるよう装着された前面扉の裏面の包丁差しに差し込まれた包丁の柄の部分が納まる包丁収納凹所を形成してなる。
【００１５】
このような構成を持つため、シンク下方に収納用の引出し等が新たに設けられ、上記前面扉の裏面に設けられた包丁差しを、上方に移動する必要が生じても、包丁の柄の部分が上記包丁収納凹所に具合よく納まるため、従来のキャビネット構造のままで、使い勝手のよい流し台を提供することができる。
【００１６】
上記包丁収納凹所は、幕板の長手方向略全長に亘って形成されていてもよい。このようにすることにより、多数の包丁を収納することができる。
【００１７】
また、上記幕板は、薄肉金属板で形成されてもよい。このようにすることによってその一部、または全部にプレス等の手段により簡単に包丁収納凹所を設けることができる。また、上記包丁収納凹所を、樹脂成形品とし、この樹脂成形品を組み込むように切り欠いた幕板に、この樹脂成形品を組み込んでもよい。このようにすれば、包丁収納凹所のみを別途樹脂成形により、簡単に安価に製造することができる。
【００１８】
キャビネットの上面に設置されたシンクの下方収納空間を開閉自在に閉じるよう装着された前面扉を台輪部一体式引出しの前面板としてもよい。このようにすれば、前面板が前面扉の役割を果たすこととなり、前面板の裏面に設けられた包丁差しに差し込まれた包丁はその柄が包丁収納凹所に具合よく納まる。
【図面の簡単な説明】
【図１】本発明にかかる流し台の斜視図である。
【図２】本発明にかかる流し台の側断面図である。
【図３】台輪部一体式引出しの斜視図である。
【図４】（ａ）    薄肉金属製幕板全体に設けられた包丁収納用凹所を示す斜視図である。
（ｂ）    薄肉金属製幕板の一部に設けられた包丁収納用凹所を示す斜視図である。
【図５】（ａ）    幕板に包丁収納凹所が組み込まれる部分を切り欠いた状態を示す斜視図である。
（ｂ）    樹脂成型した包丁収納凹所の斜視図である。
【図６】公知の流し台の斜視図である。
【図７】公知の流し台の側断面図である。
【符号の説明】
１      幕板
２      キャビネット
３      シンク
４      包丁収納凹所
５      収納空間
６      引出し
７      前面扉
８      包丁差し
９      台輪部一体式引出し前面板
Ａ      台輪部一体式引出し
Ｘ      シンクの裏面部
【図１】
0004196043.tif 000002
【図２】
0004196043.tif 000003
【図３】
0004196043.tif 000004
【図４】
0004196043.tif 000005
【図５】
0004196043.tif 000006
【図６】
0004196043.tif 000007
【図７】
0004196043.tif 000008